(57)【要約】【課題】本発明は、連結管を円滑に屈曲させ、使用する際、的を狙い易い上、液の飛び出し方向と指操作の方向を同一方向にでき且つ連結管にも無理な力が加わらないトリガースプレーを提供すること。【解決手段】容器口部に取り付けられる蓋台11と該蓋台に取り付けられるベース体9と、該ベース体と一体となったシリンダー2と、該シリンダー内を摺動するピストン1と、該ベース体に回動可能に支持されており一方の端部をピストンに枢着した天秤アームと、且つ天秤アーム7に対して復帰力を与えるスプリング6と、天秤アームの他方の一端に当接し、水平方向に押すことにより天秤アーム7を回動させるスライダーと、ベース体に取り付け1を連結する連結管5を備え、該連結管が屈曲性を有し、スライダー3をノズル部側へ押し込んで移動させることによりピストン内の液を、連結管5を介してノズル部4から噴射させるトリガースプレーＡ。【選択図】図２
2011178433.tif 000002
【特許請求の範囲】
【請求項１】
容器口部に取り付けられる蓋台と該蓋台に取り付けられるベース体と、該ベース体と一体となったシリンダーと、
該シリンダー内を摺動するピストンと、
該ベース体に回動可能に支持されており一方の端部（第１端部）をピストンに枢着した天秤アームと、
且つ天秤アームに対して復帰力を与えるスプリングと、
天秤アームの他方の一端（第２端部）に当接し、水平方向に押すことにより天秤アームを回動させるスライダーと、
ベース体に取り付けられたハウジングと、該ハウジングに固定されたノズル部と、該ノズル部とピストンを連結する連結管を備え、
該連結管が屈曲性を有し、
スライダーをノズル部側へ押し込んで移動させることによりピストン内の液を、連結管を介してノズル部から噴射させることを特徴とするトリガースプレー。
【請求項２】
スライダーはベース体に沿って移動可能であることを特徴とする請求項１記載のトリガースプレー。
【請求項３】
ベース体にフック状の起立した掛止部を備え、該掛止部に天秤アームが支持されていることを特徴とする請求項１記載のトリガースプレー。
【請求項４】
天秤アームは、スライダーの移動により第２端部が上方に移動し、第１端部が下方に移動することを特徴とする請求項１記載のトリガースプレー。
【請求項５】
スプリングが基部と該基部からＵ字状に湾曲して突出し先端で連結された湾曲バネ部とよりなり、基部がベース体に形成された係止部に係止され、先端の連結部が天秤アームの第１端部に形成された掛止爪に掛止されていることを特徴とする請求項１記載のトリガースプレー。
【請求項６】
蓋台とベース体とが一体化されていることを特徴とする請求項１記載のトリガースプレー。
【発明の詳細な説明】
【技術分野】
【０００１】
本発明は、トリガーを回動移動させることによりピストンを押し下げて容器に通じるシリンダー内の液体をノズルより噴射させるトリガースプレーに関するものである。
【背景技術】
【０００２】
従来、薬剤等の液体を吹き付けるためにスプレー容器が使用されている。
スプレー容器に取り付けられた吹き付け機構であるポンプディスペンサには、例えばトリガースプレーが使用されている（特許文献１参照）。
このトリガースプレーは、回動自在にベースに「く」の字に屈折したトリガー部材２０７と、ピストン２０１と、を接合し、且つトリガー部材２０７の自由端を水平移動可能なスライダー２０３に当接させた構造となっている（図８参照）。
【０００３】
このような構造とすることで、スライダー２０３を引き込む動作が直線的になり、トリガースプレーを使用する者の操作が簡便になる。
また、スライダー２０３が容器の幅から突出しない形状となっているため、嵩張らず、携帯に便利である。
【先行技術文献】
【特許文献】
【０００４】
【特許文献１】特開２００８−１１４１０３号公報
【特許文献２】特願２００８−２３１４１５号公報
【発明の開示】
【発明が解決しようとする課題】
【０００５】
しかしながら、上記特許文献１記載のトリガースプレーには、ピストン２０１と接合されたノズル部２０４がハウジング２１０に固定されていないため、スライダー２０３を引き込んでピストン２０１を降下させると、その運動に伴いノズル部２０４も降下するという問題があった。
そのため、トリガースプレーを使用する際、的を狙いにくく、定めた箇所に的確に液体を噴射させることが難しい。
【０００６】
この問題を解決するために、ハウジングにノズル部を固定し、該ノズル部とピストンとを屈曲性を有する連結管で接続するという対応策が考えられる。
しかしながら、上記特許文献に記載されているトリガースプレーにこのような構造を取り入れても、ピストンとトリガー部材との接合部がトリガー部材の回動軸の位置より内側、すなわちスライダーとトリガー部材との接触部側の位置にあるため、連結管がピストンの上下運動に必ずしも十分追従できない。
換言すると、このような構造では連結管の長さが十分でないためピストンの上下運動によって無理な力が生じる結果、スライダーのスムースな運動にも悪影響を与えることとなる。
【０００７】
このようなことから、発明者等は、使用する際、的を狙い易く、且つ連結管にも無理な力が加わらないトリガースプレーを既に開発している（特許文献２参照）。
しかし、このトリガースプレーにおいても、液の飛び出し方向と指操作の方向（指を押す方向）が反対であるため、必ずしも本来の人間工学的なユーザビリティの観点からはマッチイングしていない。
すなわち、特に、トリガースプレーを初めて扱う幼児等は、指操作の学習効果がなく液の飛び出し方向を間違える場合が多い。
力を入れる方向と液が飛び出る方向が異なるので不用意に顔に薬液を噴射してしまうことがある。
トリガーの動く方向とは逆方向に液が飛び出すからである。
【０００８】
本発明は以上の課題を解決すべく開発されたものである。
すなわち、本発明の目的は、連結管を円滑に屈曲させ、使用する際、的を狙い易い上、液の飛び出し方向と指操作の方向を同一方向にでき且つ連結管にも無理な力が加わらないトリガースプレーを提供することである。
【課題を解決するための手段】
【０００９】
本発明者らは、以上のような課題背景をもとに鋭意研究を重ねた結果、スライダーの配置を変えることによって、上記の課題を解決できることを見出し、その知見に基づいて本発明を完成させたものである。
【００１０】
すなわち、本発明は、（１）、容器口部に取り付けられる蓋台と該蓋台に取り付けられるベース体９と、該ベース体と一体となったシリンダーと、該シリンダー内を摺動するピストンと、該ベース体に回動可能に支持されており一方の端部（第１端部）をピストンに枢着した天秤アームと、且つ天秤アームに対して復帰力を与えるスプリングと、天秤アームの他方の一端（第２端部）に当接し、水平方向に押すことにより天秤アームを回動させるスライダーと、ベース体に取り付けられたハウジングと、該ハウジングに固定されたノズル部と、該ノズル部とピストンを連結する連結管を備え、該連結管が屈曲性を有し、スライダーをノズル部側へ押し込んで移動させることによりピストン内の液を、連結管を介してノズル部から噴射させるトリガースプレーに存する。
【００１１】
また、本発明は、（２）、スライダーはベース体に沿って移動可能である上記（１）記載のトリガースプレーに存する。
【００１２】
また、本発明は、（３）、ベース体にフック状の起立した掛止部を備え、該掛止部に天秤アームが支持されている上記（１）記載のトリガースプレーに存する。
【００１３】
また、本発明は、（４）、  天秤アームは、スライダーの移動により第２端部が上方に移動し、第１端部が下方に移動する上記（１）記載のトリガースプレーに存する。
【００１４】
また、本発明は、（５）、スプリングが基部と該基部からＵ字状に湾曲して突出し先端で連結された湾曲バネ部とよりなり、基部がベース体に形成された係止部に係止され、先端の連結部が天秤アームの第１端部に形成された掛止爪に掛止されている上記（１）記載のトリガースプレーに存する。
【００１５】
また、本発明は、（６）、蓋台とベース体とが一体化されている上記（１）記載のトリガースプレーに存する。
【００１６】
なお、本発明の目的に添ったものであれば上記の（１）から（６）を適宜組み合わせた構成も採用可能である。
【発明の効果】
【００１７】
本発明のトリガースプレーにおいては、ハウジングに固定されたノズル部と、ピストンとが屈曲性を有する連結管で結合されているので、ピストンが上下移動してもノズル部は上下移動しない。その結果、本発明の使用者は狙った箇所に的確に液体を噴射させることができる。
【００１８】
さらに、ピストンを上下移動させるために、ピストンと枢着している天秤アームの回動軸が、ピストンと天秤アームとの枢着部分と、天秤アームの第２端部とスライダーとの当接部分との間に位置しているため、連結管を長くすることができ、ピストンの上下移動に十分追従することができる。
そのため、スライダーもスムースに移動することができる。
スライダーをノズル部側へ押し込んで移動させることによりピストン内の液を、連結管を介してノズル部から噴射させるようにしたので、指を押す動きの方向と液の噴射方向が同じとなり、人間工学的に優れた操作が可能である。
【図面の簡単な説明】
【００１９】
【図１】図１は、本実施形態のトリガースプレーを示す断面図であり、スライダーを引く前の状態を示す。
【図２】図２は、本実施形態のトリガースプレーを示す断面図であり、図２（Ａ）はスライダーを引く途中の状態、図２（Ｂ）は、スライダーを引いた後の状態を示す。
【図３】図３は、本実施形態のトリガースプレーの外観図であり、図３（Ａ）は、斜め前方から見た図、図３（Ｂ）は後方から見た図、図３（Ｃ）は、トリガースプレーを手で握って噴射する状態の図である。
【図４】図４は、本実施形態のトリガースプレーを構成する部品の展開図である。
【図５】図５は、シリンダー、スプリング、天秤アーム、ベース体、及びスライダーの相互の組み込み状態を示す図である。
【図６】図６は、倒立バルブ装置を設けたトリガースプレーを示す断面図であり、図６（Ａ）は正常時、また図６（Ｂ）は倒立時を示す。
【図７】図７は、スライダーが突出している例を示す外観図であり、図７（Ａ）はスライダーが切欠き窓から突出された状態であり、図７（Ｂ）はハウジングの切欠き穴の下方の部分を窪んだカーブにし、その部分に親指を当てた状態を示す。
【図８】図８は、従来のトリガースプレーを示す断面図である。
【発明を実施するための形態】
【００２０】
（第１の実施形態）
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
図１及び図２は、本実施形態のトリガースプレーを示す断面図で内部構造を示したものである。
図１はスライダーを引き込む前を示す。
【００２２】
図２は、スライダーを引き込んだ後を示す。
また図２（Ａ）は、スライダーを引く途中、図２（Ｂ）はスライダーを引き終わった後を示す図である。
【００２３】
図３は、本実施形態のトリガースプレーの外観図である。
図３（Ａ）は、斜め前方から見た図、図３（Ｂ）は後方から見た図、図３（Ｃ）は、トリガースプレーを手で握って噴射する状態の図である。
【００２４】
図４は、本実施形態のトリガースプレーを構成する部品の展開図である。
【００２５】
図５は、スプリングと天秤アームとベース体とスライダーの相互の組み込み状態を示す図である。
本実施形態のトリガースプレーＡは、消臭剤等の薬液を収容した容器Ｂの口部に取り付けられ、使用する場合は、これに備えられたスライダー３に指を当て内側に押し込むことによって、液体をノズル部４から噴射するものである。
【００２６】
本実施形態のトリガースプレーＡは、液の飛び出し方向と指操作の方向が同一方向となるような特殊な配設構造となっている。
スライダーはノズル部とは、離れた反対側の位置でハウジングに配設されている。
この点については後で詳しく述べる。
一方、本実施形態のトリガースプレーＡは、スライダー３を押し込んでもノズル部４の位置（高さ）が変化しない構造となっている。
そのため、使用者は狙いを定めた箇所に的確に液体を噴射させることができる。
これはハウジング１０に固定されたノズル部４と、ピストン１と、が屈曲性を有する連結管５を介して結合されることにより実現している。
【００２７】
さらに、連結管５を長くしてピストン１の上下方向の移動に確実に追従できるようにするため、ピストン１を上下移動させるための天秤アーム７の連結軸７２が、ピストン１と天秤アーム７との枢着部と、天秤アーム７の第２端部７３とスライダー３との当接部と、の間に配置されている。
また、回動軸をこのような位置に配設することで、空間が大きくとれ連結管５を長くすることも可能となり、ピストン１の上下移動に十分追従することができる。
【００２８】
そして、連結管５が長くなることにより、連結管自体の動きの自由度が大きくなり、ピストン１の動きにつられて連結管５が無理なく屈曲でき、連結管５に余計な力が加わらない。
【００２９】
次に、トリガースプレーＡについて具体的に説明する。
図１及び図２に示すように、トリガースプレーＡは容器Ｂに取り付けられるものであって、ピストン１と、シリンダー２と、スライダー３と、ノズル部４と、連結管５と、スプリング６と、天秤アーム７と、吸上げチューブ部８と、ベース体９と、蓋台１１と、ハウジング１０と、を備える。そして、シリンダー２とベース体９とは一体に成形されている。
【００３０】
ノズル部４はハウジング１０の前方に内側から嵌り込んで固定されており、且つハウジング１０に形成された切欠き穴１０Ａを通して外部に露出している。
また、ノズル部４とピストン１とは、連結管５を介して結合されている。
蓋台１１が容器口部に取り付けられ、該台座１１に該ベース体９が取り付けられる。
ここで、ノズル部４と連結管５とピストン１とは、一体に成形することも可能であり、その場合は、連結管５の部分を肉薄にして屈曲性を高める。
多色成形により連結管５の部分のみ別材料を使って屈曲性を与えることも可能である。
【００３１】
このようにノズル部４がハウジング１０の前方に固定され、且つノズル部４が屈曲性を有する連結管５を介してピストン１に結合されているため、スライダー３の移動に伴ってピストン１が下方へ移動しても、連結管５のみが屈曲することにより追従する。
そのためノズル部が従来のようにピストンの動きと共に下方へ移動せず、ノズル部４の位置（高さ）は変化しない。
なお、連結管５の外周には図示しない多数の環状のリブが形成されていることが好ましく、それにより屈曲しても連結管の断面が変形しないので液の通りが悪くならない。
【００３２】
ところでスライダー３は、後述する天秤アーム７を回動させるものである。
すなわちノズル部４を吹き付け対象となる目標（通常は使用者と反対向き）に向けて、トリガースプレーＡを使用する際、親指を当てる部分である。
ここに加えられた押し込み力は、スライダー３に当接する天秤アーム７によってピストン１を押し下げる力へと変換される。
なお、このようにノズル部４を使用者とは反対側に向けて使用するのが原則であるので、目標が手前にある場合は、手首を捻りノズル部４を手前に向けてスライダー３を使用することになる。
従来のように引いた方向とは逆方向に液が飛び出すようなことがなく、幼児、子供が誤って自分の顔に薬液を噴射するような危険がない。
【００３３】
図４、図５に示すように、ピストン１の側面には互いに外方に延びた一対の係合突起１Ａが形成されており、この係合突起１Ａが天秤アーム７の係合部７１（側壁７Ａの内側に設けられている）に嵌め込まれることで、ピストン１と天秤アーム７とが枢着されている。
【００３４】
また、天秤アーム７には左右一対の側壁７Ａを連結するための連結軸７２（図１参照）が形成されており、この連結軸７２はベース体９と一体に設けられた掛止部９１（この掛止部９１は、ベース体９からフック状に起立している）に回動自在に支持される（図１及び図２参照）。
【００３５】
天秤アーム７の左右一対の側壁７Ａからは斜め上方に延びた延出部７Ｃが形成されている。
この延出部７Ｃの端部である第２端部７３は、ベース体９に対して水平方向に移動自在に取り付けられたスライダー３に当接している。
第２端部７３は曲面状に形成されているため、スライダー３が引き込まれた際の摩擦が極力少なくなっている。
【００３６】
スライダー３がトリガースプレーＡの内方に押し込まれると、スライダー３が第２端部７３を押し、天秤アーム７は連結軸７２を中心に上向き（図１で反時計回り）に回動する。  
そして、天秤アーム７が上向きに動くと、ピストン１と天秤アーム７との枢着部（係合突起１Ａ）は連結軸７２を挟んでスライダー３とは反対側に位置するため、ピストン１は下方へ押し下げられる。
【００３７】
スプリング６はスライダー３の水平方向の移動によって押し下げられた天秤アーム７を元の位置へと戻すために復帰力を与えるもので、図４に示すように、基部６２Ｂと、基部６２ＢからＵ字状に突出した一対の湾曲バネ部６１Ａと、二つの湾曲バネ部の先端部同士を連結する連結部６２Ａと、で構成されている。
そして、基部６２Ｂがベース体９に設けられた係止部９２に嵌り込むことにより、スプリング６はベース体９に固定される（図５参照）。
【００３８】
一方、連結部６２Ａは天秤アーム７の第１端部７４に形成された一対の掛止爪７４Ａに掛止されており、スプリング６が天秤アーム７に与える復帰力は連結部６２Ａと一対の掛止爪７４Ａとの当接部分を通じて天秤アーム７に伝えられる。
本実施形態においては、連結部６２Ａの形状は丸棒となっているため、掛止爪７４Ａとの接触抵抗が極力小さくなり、スプリング６が与える復帰力が効率よく天秤アーム７に伝達される。
【００３９】
スライダー３はノズル部４とは反対側の位置でベース体９に配設されている。
ハウジング１０には切欠き窓１０Ｂが形成されており、この切り欠き窓１０Ｂにスライダー３の一部が露出している。
図に示すように、スライダー３は側壁部３１と底壁部３２とよりなり断面は円弧状に形成されており、その下方にはＴ字部材３３を備えている（図４，図５参照）。
Ｔ字部材３３は、ベース体９に形成されたＴ形の溝部９４に嵌り込む。
このため、スライダー３は左右にグラつくことなく安定した状態でベース体９上を平行移動できる。
【００４０】
吸上げチューブ部８はトリガースプレーＡが取り付けられた容器内に収容された液体をシリンダー２へと流入させるための流路を構成するものである。
この吸上げチューブ部８は、シリンダー２と一体に形成されることも可能である。
シリンダー２には、液体の吸い上げを行い、また流入した液体が容器へと逆流することを防ぐためのファーストバルブＦＶが設けられている。
ファーストバルブＦＶは、通常の状態ではシリンダー２内に貯留された液体の水圧によって弁座に押し付けられているが、シリンダー２内の液体が噴射された後、ピストン１の戻りにより負圧になると弁座から離れ、通路を開放する。
【００４１】
一方、ハウジング１０はピストン１やスプリング６等を外部からの衝撃、または汚れから守るためのカバーとして機能するもので、ベース体９に装着固定されている。
【００４２】
次に、本実施形態のトリガースプレーの作動について説明する。
まず、ノズル部４を外方に向け（すなわち使用者と反対側に向け）トリガースプレーを容器と共に手で掴み、ハウジング１０の切欠き窓１０Ｂに露出しているスライダー３に親指を当る。
そしてスライダー３をトリガースプレーＡの内方に（すなわちノズル部側に）押し込むと、天秤アーム７の第２端部７３がスライダー３の内側に形成された底壁部３２に沿って上方に移動する。
この場合、底壁部３２がカム面に相当する。
その結果、天秤アーム７は連結軸７２を支点として上向き（図で反時計回り）に回動する。
このとき、第２端部７３が曲面に形成されているため、スライダー３との摩擦が極力低減される。
【００４３】
天秤アーム７の第２端部７３が上向きに回動すると、天秤アーム７がピストン１を下方に押し込むため、シリンダー２内の液体が圧縮される。
この時、連結軸７２が第２端部７３と係合突起１Ａの間に配設されているため、連結管５はピストン１の移動に十分追従できる。
更に詳しくいうと、連結軸７２が、スライダー３と第２端部７３との当接部分と、天秤アーム７とピストン１との枢着部分（係合突起１Ａ）の間に配設されているため、連結管５はピストン１の移動に十分追従できるのである。
その結果、スライダー３はスムースに動くことができる。
【００４４】
圧縮された液体はピストン１を通り、連結管５を経て、ノズル部４から外部に噴射される。
このように、液体の噴射方向とスライダー３を指で押す方向とが同じであり、目標に対して噴射方向を誤ることがない。
人間工学的にもユーザビリティに優れたものとなっている。
ノズル部４から液体が噴射された後は、スライダー３から親指が離され、スプリング６の復帰力により天秤アーム７が元の位置に戻る。
するとピストン１が上昇するためシリンダー２内の圧力が負圧になり、ファーストバルブＦＶが開放され容器内の液体が吸上げチューブ部８を通じて吸い上げられる。
【００４５】
吸い上げられた液体でシリンダー２内が満たされると、またスライダー３が引き込まれ同様な操作が繰り返されるのである。
【００４６】
〔他の実施の形態〕
本実施形態のトリガースプレーにおいては、容器を倒立させた場合にも液体の吸い上げを可能とするように設計変更することも可能である。
図６は倒立時にも液体の吸い上げを可能とするために、倒立バルブ装置１２を設けた例を示す。
図６（Ａ）は正常時であり、図６（Ｂ）は倒立時である。
倒立バルブ装置１２はカップリング部１２Ａを備えており、シリンダー２と吸上げチューブ部８とを連結することができる。
【００４７】
以上、本発明をその一実施形態を例に説明したが、本発明は上述した実施形態のみに限定されるものではなく、種々の変形が可能である。
例えば、図７（Ａ）に示すように、スライダー３を切欠き窓１０Ｂから突出するようにすることも可能である。
突出した部分は指で押し込み易い利点がある。
また、ハウジング１０の切欠き穴１０Ａの下方の部分１０Ｃを図のような窪んだカーブにした場合は、図７（Ｂ）に示すように、その部分に親指を当て人差し指でスライダーを押すこともできる。
また例えばベース体は蓋台１１を介して容器口部に取り付けられているが、台座１１とベース体９とを一体化することも当然可能である。
【００４８】
また、例えば、ノズル部の先端に、複数種の形状の噴射口を有するキャップを取り付け、トリガースプレーの使用時に噴射させる液体の形状を選択できるようにしてもよい。
【００４９】
トリガースプレーの外形は、断面が矩形以外の形、例えば、楕円形、長円であっても良い。
【産業上の利用可能性】
【００５０】
本発明は、トリガーを回動移動させることによりピストンを押し下げて容器に通じるシリンダー内の液体をノズルより噴射させるトリガースプレーに関するものであり、ピストンを上下移動させるために、ピストンと枢着している天秤アームの回動軸が、ピストンと天秤アームとの枢着部分と、天秤アームの第２端部とスライダーとの当接部分との間に位置しているため、連結管を長くすることができ、ピストンの上下移動に十分追従することができる。
そしてスライダーをノズル部側へ押し込んで移動させるので、液体の噴射方向と指を押す方向とが同一となり、目標に対して噴射方向を間違えることがない。
またこの原理を利用する限り、本発明以外の他のスプレー機構にも適用可能である。
【符号の説明】
【００５１】
１…ピストン
１Ａ…係合突起
２…シリンダー
３…スライダー
３１…側壁部
３２…底壁部
３３…Ｔ字部材
４…ノズル部
５…連結管
６…スプリング
６１Ａ…湾曲バネ部
６２Ａ…連結部
６２Ｂ…基部
７…天秤アーム
７Ａ…側壁部
７Ｃ…延出部
７１…係合部
７２…連結軸
７３…第２端部
７４…第１端部
７４Ａ…掛止爪
８…吸上げチューブ部
９…ベース体
９１…掛止部
９２…係止部
９４…溝部
１０…ハウジング
１０Ａ…切欠き穴
１０Ｂ…切欠き窓
１０Ｃ…下方の部分
１１…蓋台
１２…倒立バルブ装置
１２Ａ…カップリング部
２０１…ピストン
２０３…スライダー
２０４…ノズル部
２０７…トリガー部材
２１０…ハウジング
Ａ…トリガースプレー
Ｂ…容器
ＦＶ…ファーストバルブ
【図１】
2011178433.tif 000003
【図２】
2011178433.tif 000004
【図３】
2011178433.tif 000005
【図４】
2011178433.tif 000006
【図５】
2011178433.tif 000007
【図６】
2011178433.tif 000008
【図７】
2011178433.tif 000009
【図８】
2011178433.tif 000010